【手続補正書】
【提出日】令和2年2月12日(2020.2.12)
【手続補正１】
【補正対象書類名】特許請求の範囲
【補正対象項目名】請求項１１
【補正方法】変更
【補正の内容】
【請求項１１】
請求項１０に記載の軸受装置であって、
前記軸受は、
前記アッパーマウント側に位置するアッパーケースと、
前記コイルスプリング側に位置するロワーケースと、
前記アッパーケースおよび前記ロワーケース間に配されて、前記アッパーケースおよび前記ロワーケース間の相対的な回動を許容する軸受部材と、を備え、
前記ロワーケースは、
前記スプリングシートと一体化されている
ことを特徴とする軸受装置。
【手続補正２】
【補正対象書類名】明細書
【補正対象項目名】００１８
【補正方法】変更
【補正の内容】
【００１８】
装着孔２３の内周面２３０には、軸心Ｏに沿って、溝深さｄ１が一定のガイド溝２３１と、上面２０側から下面２１側に向かうに従い溝深さｄ２が浅くなるテーパ付ガイド溝２３２とが、円周方向に等間隔で交互に複数形成されている。ガイド溝２３１およびテーパ付ガイド溝２３２には、滑り軸受３の後述するロワーケース３１の回止め３１４が挿入される。これにより、ロワーケース３１がスプリングシート２の載置面２００に対して回転するのを防止して、ロワーケース３１およびスプリングシート２が両者間の摺動によって摩耗するのを防止することができる。また、テーパ付ガイド溝２３２に挿入された回止め３１４がテーパ付ガイド溝２３２に対してシメシロとなることにより、ロワーケース３１がスプリングシート２に固定して、スプリングシート２および滑り軸受３間のガタつきによる異音の発生を防止することができる。なお、図２では、一部のガイド溝２３１、テーパ付ガイド溝２３２にのみ符号を付している。
【手続補正３】
【補正対象書類名】明細書
【補正対象項目名】００２５
【補正方法】変更
【補正の内容】
【００２５】
図示するように、滑り軸受３は、環状のアッパーケース３０と、ストラット式サスペンション４を構成するショックアブソーバ４１のピストンロッド４０が挿入されるとともに、アッパーケース３０と回動自在に組み合わされる筒状のロワーケース３１と、アッパーケース３０とロワーケース３１との間に配置された環状のセンタープレート３２および金属ワッシャ３３と、を備えている。
【手続補正４】
【補正対象書類名】明細書
【補正対象項目名】００２６
【補正方法】変更
【補正の内容】
【００２６】
アッパーケース３０は、ガラス入りポリアミド樹脂等の強度の高い熱可塑性樹脂で形成され、その上面３００には、ストラット式サスペンション４を車体に取り付けるためのアッパーマウント５（図４参照）への取付面３０１が形成されている。また、アッパーケース３０の下面３０２には、金属ワッシャ３３を装着するための装着孔３０３が上面３００を貫いて形成されており、下面３０２の装着孔３０３の周囲には、金属ワッシャ３３の上面３３０と接触する環状下面３０４が形成されている。
【手続補正５】
【補正対象書類名】明細書
【補正対象項目名】００３０
【補正方法】変更
【補正の内容】
【００３０】
金属ワッシャ３３は、アッパーケース３０の環状下面３０４とセンタープレート３２の上面３２０との間に配置され、ストラット式サスペンション４を構成するショックアブソーバ４１のピストンロッド４０が挿入される。金属ワッシャ３３は、鋼、ステンレス等の鋼板、あるいは銅合金、チタン合金等の非鉄合金板で形成され、その上面３３０には、アッパーケース３０の装着孔３０３に装着される筒状のボス部３３１が形成されている。
【手続補正６】
【補正対象書類名】明細書
【補正対象項目名】００４５
【補正方法】変更
【補正の内容】
【００４５】
本実施の形態のスプリングシート２では、上面２０の外縁側に、補強リブとして機能する環状突部２０１を形成し、この環状突部２０１に、上面２０に溜まった液体を外部へ排水する複数の排水スリット２０４ａ、２０４ｂを設けている。スプリングシート２は、収容部２２の内側にバンプストッパ４３の上端部が収容され、収容部２２の外側に、コイルスプリング４２の上端部を支持する環状の支持面２１０を含む下面２１が配される構造であるため、収容部２２に大きな荷重が加わるが、補強リブとして機能する環状突部２０１に排水スリット２０４ａ、２０４ｂを設けているので、収容部２２に排水用のオリフィスを設けることなく、上面２０に溜まった液体を外部へ排水することができる。したがって、強度を維持しつつ、上面２０に溜まった液体を排出することができる。
【手続補正７】
【補正対象書類名】明細書
【補正対象項目名】００５１
【補正方法】変更
【補正の内容】
【００５１】
また、本実施の形態のスプリングシート２では、装着孔２３の内周面２３０に、軸心Ｏに沿って、溝深さｄ１が一定のガイド溝２３１と、上面２０側から下面２１側に向かうに従い溝深さｄ２が浅くなるテーパ付ガイド溝２３２とを、円周方向に等間隔で交互に複数設け、これらのガイド溝２３１およびテーパ付ガイド溝２３２に、滑り軸受３のロワーケース３１の回止め３１４を挿入している。これにより、ロワーケース３１がスプリングシート２の載置面２００に対して回転するのを防止して、ロワーケース３１およびスプリングシート２が両者間の摺動によって摩耗するのを防止することができる。また、テーパ付ガイド溝２３２に挿入された回止め３１４がテーパ付ガイド溝２３２に対してシメシロとなることにより、ロワーケース３１をスプリングシート２に固定して、スプリングシート２および滑り軸受３間のガタつきによる異音の発生を防止することができる。
【手続補正８】
【補正対象書類名】明細書
【補正対象項目名】００６２
【補正方法】変更
【補正の内容】
【００６２】
排水スリット２０４ｅは、周方向に形成された環状の緩衝流路２０５ｅと、周方向に複数配置され、環状突部２０１の外周面２０３および緩衝流路２０５ｅと連通する排水口２０８と、周方向に複数配置され、環状突部２０１の内周面２０２および緩衝流路２０５ｅと連通する流入口２０９と、を有する。なお、図５（Ｂ）では、一部の排水口２０８、流入口２０９にのみ符号を付している。
【手続補正９】
【補正対象書類名】明細書
【補正対象項目名】００６３
【補正方法】変更
【補正の内容】
【００６３】
これにより、車両の高圧洗浄等において、外部から径方向内方へ向かう高圧水が排水口２０８に侵入した場合でも、侵入した高圧水を緩衝流路２０５ｅの壁面に衝突させて、浸入する水の勢いを弱めることができる。
【手続補正１０】
【補正対象書類名】明細書
【補正対象項目名】００６９
【補正方法】変更
【補正の内容】
【００６９】
排水スリット２０４ｇは、周方向に形成された星型多角形状の緩衝流路２０５ｇと、周方向に複数配置され、環状突部２０１の外周面２０３および緩衝流路２０５ｇと連通する排水口２０８ａと、周方向に複数配置され、環状突部２０１の内周面２０２および緩衝流路２０５ｇと連通する流入口２０９ａと、を有する。緩衝流路２０５ｇは、周方向と交差する方向Ｓに沿って形成された緩衝流路２０５ｈと、周方向と交差し、かつ方向Ｒとは異なる方向Ｔに沿って形成された緩衝流路２０５ｉとが、交互に連結されて構成されている。また、排水口２０８ａは、外縁側に位置する緩衝流路２０５ｈと緩衝流路２０５ｉとの連結部分に連通し、流入口２０９ａは、内縁側に位置する緩衝流路２０５ｈと緩衝流路２０５ｉとの連結部分に連通している。なお、図６（Ｂ）では、一部の排水口２０８ａ、流入口２０９ａにのみ符号を付している。
【手続補正１１】
【補正対象書類名】明細書
【補正対象項目名】００７０
【補正方法】変更
【補正の内容】
【００７０】
これにより、車両の高圧洗浄等において、外部から径方向内方へ向かう高圧水が排水口２０８ａに侵入した場合でも、侵入した高圧水を緩衝流路２０５ｇの壁面に衝突させて、浸入する水の勢いを弱めることができる。また、外部から排水口２０８ａに侵入する高圧水の向きが緩衝流路２０５ｈ、２０５ｉの向きＳ、Ｔのいずれか一方に近い場合でも、この高圧水の向きが他方とは交差する向きとなるので、排水口２０８ａに侵入する水の向きに係らず、浸入する水の勢いを弱めることができる。
【手続補正１２】
【補正対象書類名】明細書
【補正対象項目名】００７４
【補正方法】変更
【補正の内容】
【００７４】
また、上記の実施の形態では、滑り軸受３のロワーケース３１とスプリングシート２とを別体としているが、これらを一体的に形成してもよい。